(57)【要約】      （修正有）【課題】１．８Ｌ角缶や２Ｌ角缶の如き金属製角缶として、片手で缶側部をしっかりと掴んで保持でき、その状態で角缶を傾けても掴んだ手が滑りにくく、注出口から液を注ぎ出す際に手の滑りによる角缶の落下を防止できる金属性角缶を提供する。【解決手段】平面視略矩形をなす頂部１１に缶幅方向一側に偏して注出口２を備えて、頂部１１に把手を有しない公称１〜２Ｌの金属製角缶Ｃ１において、胴部１０の対向する幅広側の両側面１０ａ，１０ｂに指掛かり用凹部３Ａが形成されている。【選択図】図１
0003158503.tif 000002
【実用新案登録請求の範囲】
【請求項１】
縦長で、平面視略矩形をなす頂部に缶幅方向一側に偏して注出口を備えて、且つ該頂部に把手を有しない公称１〜２Ｌの金属製角缶において、
胴部の対向する幅広側の両側面に指掛かり用凹部又は／及び凸部が形成されていることを特徴とする金属製角缶。
【請求項２】
缶厚み方向の外寸が６０〜９５ｍｍである請求項１記載の金属製角缶。
【請求項３】
前記の指掛かり用凹部又は／及び凸部が前記注出口側とは缶幅方向の反対側に偏して形成されてなる請求項１又は２に記載の金属製角缶。
【考案の詳細な説明】
【技術分野】
【０００１】
本考案は、燃料オイル、塗料、溶剤、食用油等の液状製品の容器として汎用される公称１〜２Ｌの金属製角缶に関する。
【背景技術】
【０００２】
一般的に、公称１〜２Ｌ（通常、１Ｌ、１．８Ｌ、２Ｌの３種）の金属製角缶は、全体として縦長で、平面視矩形をなす頂部に缶幅方向一側に偏して注出口を備えているが、該頂部には３Ｌ角缶以上の大容量角缶では普通である缶幅方向に沿うブリッジ状やつる環状の把手を設けていないものが殆どである（非特許文献１〜３）。これは、公称１〜２Ｌの金属製角缶では缶厚み方向の外寸が６０〜９５ｍｍ程度であるため、前記把手では幅狭になって手が入りにくいことと、サイズ的に大人が片手で缶側部を掴んで保持できることによる。
【先行技術文献】
【非特許文献】
【０００３】
【非特許文献１】http://www.dainichi-can.co.jp/products/can/ippan/ippan_kaku.html(2009/12/21)
【非特許文献２】http://www.kumanoseikan.co.jp/ip/k_02.html(2009/12/21)
【非特許文献３】http://www.kowa-mp.co.jp/products_squarecan(4L-2L).htm(2009/12/21)
【考案の概要】
【考案が解決しようとする課題】
【０００４】
しかるに、公称１〜２Ｌの角缶でも液状製品を収容した状態ではかなりの重量になるため、片手で缶側部を掴んで保持した状態で、該角缶を傾けて注出口から液を注ぎ出す際、往々にして手が滑って角缶を落とすことがあり、飛散・流出した液で周辺が汚れたり、機器が故障したり、作業者の足の甲や指等の上に角缶が落下して負傷するといった問題が発生していた。
【０００５】
本考案は、上述の事情に鑑みて、公称１〜２Ｌの金属製角缶として、片手で缶側部をしっかりと掴んで保持でき、その状態で角缶を傾けても掴んだ手が滑りにくく、もって注出口から液を注ぎ出す際に手の滑りによる角缶の落下を防止できるものを提供することを目的としている。
【課題を解決するための手段】
【０００６】
上記目的を達成するための手段を図面の参照符号を付して示せば、請求項１の考案は、縦長で、平面視略矩形をなす頂部（天板１１）に缶幅方向一側に偏して注出口２を備えて、且つ該頂部に把手を有しない公称１〜２Ｌの金属製角缶Ｃ１〜Ｃ３において、胴部１０の対向する幅広側の両側面１０ａ，１０ｂに指掛かり用凹部３Ａ，３Ｂ又は／及び凸部４が形成されていることを特徴としている。
【０００７】
請求項２の考案は、上記請求項１の金属製角缶Ｃ１〜Ｃ３において、缶厚み方向の外寸ｄが６０〜９５ｍｍである構成としている。
【０００８】
請求項３の考案は、上記請求項１又は２の金属製角缶Ｃ１〜Ｃ３において、指掛かり用凹部３Ａ，３Ｂ又は／及び凸部４が注出口側２とは缶幅方向の反対側に偏して形成されてなるものとしている。
【考案の効果】
【０００９】
次に、本発明の効果を図面の参照符号を付して説明する。請求項１の発明によれば、頂部に把手のない公称１〜２Ｌの金属製角缶Ｃ１〜Ｃ３において、胴部１０の対向する幅広側の両側面１０ａ，１０ｂに、指掛かり用凹部３Ａ，３Ｂ又は／及び凸部４が形成されているから、片手で缶側部を掴んで保持する際、その手の指を指掛かり用凹部３Ａ，３Ｂ又は／及び凸部４に掛けることにより、該角缶Ｃ１〜Ｃ３をしっかりと掴むことができ、もって注出口から液を注ぎ出す際に手の滑りによる角缶Ｃ１〜Ｃ３の落下を防止できる。
【００１０】
請求項２の考案によれば、上記の金属製角缶Ｃ１〜Ｃ３の缶厚み方向の外寸ｄが特定範囲にあるから、大人の片手によって容易に缶側部を掴んで保持できる。
【００１１】
請求項３の考案によれば、指掛かり用凹部３Ａ，３Ｂ又は／及び凸部４が注出口側２とは缶幅方向の反対側に偏して形成されているから、特に片手で缶側部を掴んで保持した状態で缶を傾けて注出口から液を注ぎ出す際に、該角缶Ｃ１〜Ｃ３をしっかりと掴むのに都合がよいと共に、缶表面の他の部位には各別に凹凸を設ける必要がないから缶材の加工も容易になる。
【図面の簡単な説明】
【００１２】
【図１】本考案の第一実施形態に係る金属製角缶の斜視図である。
【図２】同金属製角缶における収容液の注出操作を示す側面図である。
【図３】本考案の第二実施形態に係る金属製角缶を示し、（ａ）図は側面図、（ｂ）図は（ａ）図のＸ−Ｘ線の断面図である。
【図４】本考案の第三実施形態に係る金属製角缶を示し、（ａ）図は側面図、（ｂ）図は（ａ）図のＹ−Ｙ線の断面図である。
【考案を実施するための形態】
【００１３】
図１で示す第一実施形態の金属製角缶Ｃ１は、公称１〜２Ｌ角缶であり、横断面略矩形の缶胴部１０の上下端に略矩形の天板１１及び地板１２が固着され、天板１１には缶幅方向一側（図示左側）に偏して注出口２が設けてある。その缶胴部１０は、一方の幅広側の側面（図示前面）１０ａと幅狭側の側面（図示右側面）１０ｃとの境界部から側面１０ｃ側へやや入った位置に、縦方向に沿うシーム溶接部ｓを有している。この金属製角缶Ｃ１の缶厚み方向の外寸ｄは６０〜９５ｍｍの範囲であり、また注出口２は図示省略したキャップによって封止するようになっている。
【００１４】
しかして、缶胴部１０の幅広側の両側面（図示前後面）１０ａ，１０ｂには、それぞれ浅い円形の３つの指掛かり用凹部３Ａが、注出口側２とは缶幅方向の反対側に偏して、上下に略等間隔に配列して形成されている。なお、各凹部３Ａの深さは１〜３ｍｍ程度、底径は１５〜３０ｍｍ程度に設定される。
【００１５】
上記構成の金属製角缶Ｃ１では、例えば右手で缶側部を掴んで保持する場合、図２に示すように、その手Ｈの親指Ｆ１を一側面１１ａの１つの指掛かり用凹部３Ａに、人差指Ｆ２他を逆側の側面１０ｂ（図１参照）の３つあるいは２つの指掛かり用凹部３Ａに、それぞれ掛けることによって該角缶Ｃ１をしっかりと把持できるから、該角缶Ｃ１を傾けて注出口２から液Ｌを注ぎ出す際に手Ｈが滑って当該角缶Ｃ１を落すことがない。従って、従来のように角缶を落として、飛散・流出した液で周辺が汚れたり、機器が故障したり、作業者の足の甲や指等の上に角缶が落下して負傷するといった問題を未然に防止できる。
【００１６】
また、この金属製角缶Ｃ１においては、缶胴部１０の幅広側の両側面１０ａ，１０ｂに指掛かり用凹部３Ａを同様構成で設けているから、図２の例示とは逆に左手で缶側部を掴む場合にも同様にしっかりと滑らない形で保持でき、使用者の左右の利き手の違いによる差を生じない。更に、該角缶Ｃ１の缶厚み方向の外寸ｄが６０〜９５ｍｍ程度であるため、大人の片手で缶側部を掴んで保持するのに丁度よい。すなわち、この外寸ｄが大き過ぎては掴みにくく、逆に小さ過ぎては缶幅又は缶高さが大きくなるために角缶としての取り扱い性や自立性が悪化する。
【００１７】
上記第一実施形態では幅広側の両側面１０ａ，１０ｂに各々上下に配列した３つの円形の指掛かり用凹部３Ａを設けているが、本考案では、該指掛かり用凹部として様々な形状を採用できると共に、該指掛かり用凹部に代えて指掛かり用凸部を設けたり、指掛かり用凹部と指掛かり用凸部を組み合わせて設けてもよい。
【００１８】
例えば、図３（ａ）（ｂ）に示す第二実施形態の金属製角缶Ｃ２では、缶自体の基本構造は第一実施形態と同様であるが、缶胴部１０の幅広側の両側面１０ａ，１０ｂにそれぞれ、上下方向に沿う１本の浅い帯状の指掛かり用凹部３Ｂが、注出口側２とは缶幅方向の反対側に偏して形成されている。なお、該凹部３Ｂの深さは１〜５ｍｍ程度、幅は１０〜３０ｍｍ程度である。
【００１９】
また、図４（ａ）（ｂ）に示す第三実施形態の金属製角缶Ｃ３では、やはり缶自体の基本構造は第一及び第二実施形態と同様であるが、缶胴部１０の幅広側の両側面１０ａ，１０ｂにそれぞれ、上下方向に沿う２本の畝状の指掛かり用凸部４が、注出口側２とは缶幅方向の反対側に偏して平行に形成されている。その各凸部４の幅は１０〜２０ｍｍ程度、両凸部４，４の間隔はは１０〜２０ｍｍ程度である。
【００２０】
これら第二及び第三実施形態の金属製角缶Ｃ２，Ｃ３でも、既述の第一実施形態と同様に、片手で缶側部を掴んで保持する際、指掛かり用凹部３Ｂや指掛かり用凸部４を利用してしっかりと把持できるから、液注出時に手が滑って落下するのを防止できる。
【００２１】
更に、本考案の金属製角缶においては、指掛かり用凹部又は／及び指掛かり用凸部として、多数の円形や角形の凹部や凸部、上下方向に沿う多数本の凹条や凸状、これらの組合せ等も採用できる。しかして、指掛かり用凹部又は／及び指掛かり用凸部は、缶胴部１０の幅広側の両側面１０ａ，１０ｂの全体に設けてもよいが、片手で缶側部を掴んで缶を傾けて注出操作する上で注出口側２とは缶幅方向の反対側に偏して存在すればよく、全体に設けるのは缶材の加工コスト面からも無駄である。
【符号の説明】
【００２２】
Ｃ１〜Ｃ３      金属製角缶
１０            胴部
１０ａ，１０ｂ  幅広側の側面
１１            天板（頂部）
２              注出口
３Ａ，３Ｂ      指掛かり用凹部
４              指掛かり用凸部
【図１】
0003158503.tif 000003
【図２】
0003158503.tif 000004
【図３】
0003158503.tif 000005
【図４】
0003158503.tif 000006